(57)【要約】【課題】毛髪のスタイリングにより適した拡散モードの形状を有するヘアドライヤの吹き出しノズルおよびヘアドライヤを提供する。【解決手段】ヘアドライヤ１は、吹き出しノズル３０を備えている。吹き出しノズル３０は、ノズル本体部３２と、ノズル本体部３０内に配置されている風路遮断部材３１とを備えている。ノズル本体部３２と風路遮断部材３１とは、吹き出しノズル３０の前後方向に相対的に移動可能である。ノズル本体部３２は、送風路の内径を、吹き出しノズル３０の水平方向（Ｘ方向）に拡張させる張り出し部５１ａおよび５１ｂを有している。吹き出しノズル３０では、ノズル本体部３２と風路遮断部材３１とが相対的に移動することで、張り出し部５１ａおよび５１ｂへの送風路が開放される拡散モードと、張り出し部５１ａおよび５１ｂへ送風路が遮断される収束モードとが変更可能となっている。【選択図】図１
2019146720.tif 000002
【特許請求の範囲】
【請求項１】
ヘアドライヤの吹き出しノズルであって、
吹き出し口を有するノズル本体部と、
前記ノズル本体部内に配置されている風路遮断部材と
を備え、
前記ノズル本体部と前記風路遮断部材とは、前後方向に相対的に移動可能であって、
前記ノズル本体部は、送風路の内径を水平方向に拡張させる張り出し部を有しており、
前記ノズル本体部と前記風路遮断部材とが相対的に移動することで、前記張り出し部への送風路が開放される拡散モードと、前記張り出し部へ送風路が遮断される収束モードと
が変更可能となっている、吹き出しノズル。
【請求項２】
前記風路遮断部材は、筒状部材である、請求項１に記載の吹き出しノズル。
【請求項３】
前記風路遮断部材は、前記張り出し部への風路を塞ぐシャッタ部材である、
請求項１または２に記載の吹き出しノズル。
【請求項４】
前記拡散モードのときに、前記張り出し部が回転可能に構成されている、
請求項１から３の何れか１項に記載の吹き出しノズル。
【請求項５】
前記送風路内に整流部材が設けられている、
請求項１から４の何れか１項に記載の吹き出しノズル。
【請求項６】
前記ノズル本体部および前記風路遮断部材の少なくとも何れか一方には、前記ノズル本体部と前記風路遮断部材との前後方向の相対的な位置を複数個所で固定可能な位置調整部が設けられている、
請求項１から５の何れか１項に記載の吹き出しノズル。
【請求項７】
前記ノズル本体部と前記風路遮断部材との間には、前記ノズル本体部および前記風路遮断部材を、前記拡散モードの状態または前記収束モードの状態に付勢する弾性部材が設けられている、
請求項１から６の何れか１項に記載の吹き出しノズル。
【請求項８】
請求項１から７の何れか１項に記載の吹き出しノズルを備えているヘアドライヤ。
【発明の詳細な説明】
【技術分野】
【０００１】
本発明は、ヘアドライヤの吹き出しノズル、およびヘアドライヤに関する。
【背景技術】
【０００２】
ヘアドライヤは、一端の吸気口から吸入した空気を加温して他端の排気口から排出することにより、温風を放出する。使用者は、ヘアドライヤからの温風を毛髪に当てることにより、毛髪を乾燥させる。
【０００３】
また、ヘアドライヤの中には、吹き出し口に吹き出しノズルを取り付けて使用可能なものもある。吹き出しノズルは、種々の形状を有しており、その形状によって、ヘアドライヤから外部へ送出される風を収束したり、拡散したりすることができる。
【０００４】
例えば、特許文献１には、内側ノズル２１と外側ノズル２２とで２重筒状に構成された吹出ノズル１１が装着されたヘアードライヤーが開示されている。この吹出ノズル１１では、内側ノズル２１および外側ノズル２２の前側のノズル開口のそれぞれに、複数の山形の収束片２４・３２が周回状に形成されている。また、内側ノズル２１と外側ノズル２２とは、相対回転可能に構成されている。そして、内側ノズル２１と外側ノズル２２とを相対回転操作して、吹出ノズル１１の形態を、拡散姿勢と収束姿勢とに切り換えることができる。拡散姿勢においては、内側ノズル２１の収束片２４と外側ノズル２２の収束片３２とが内外に重なる。収束姿勢においては、内側ノズル２１の収束片２４と外側ノズル２２の収束片３２とが周方向へ隣接する。
【先行技術文献】
【特許文献】
【０００５】
【特許文献１】特開２０１１−１９６３１号公報
【発明の概要】
【発明が解決しようとする課題】
【０００６】
ところで、ヘアドライヤを使用して毛髪を乾燥させる場合には、吹き出し口の開口面積が狭くなる収束姿勢（収束モード）の方が、吹き出し口の開口面積が大きくなる拡散姿勢（拡散モード）と比較して風速が速くなる。そのため、一般的に、収束モードは、濡れた髪を短時間で乾燥させるときに好適に選択され、拡散モードは、毛髪をスタイリングしたりセットしたりするときに好適に選択される。
【０００７】
毛髪をスタイリングなどするときに選択される拡散モードでは、毛髪の伸長方向（上下方向）に垂直な方向（水平方向）に広がった風を送ることが望ましい。しかしながら、特許文献１の吹出ノズル１１では、拡散姿勢において吹き出し口の面積を拡張させてはいるが、吹き出し口を横方向（水平方向）に拡大させることはしていない。
【０００８】
そこで、本発明では、毛髪のスタイリングにより適した拡散モードの形状を有するヘアドライヤの吹き出しノズルおよびヘアドライヤを提供する。
【課題を解決するための手段】
【０００９】
本発明の一局面にかかる吹き出しノズルは、ヘアドライヤの吹き出しノズルに関する。この吹き出しノズルは、吹き出し口を有するノズル本体部と、前記ノズル本体部内に配置されている風路遮断部材とを備えている。この吹き出しノズルにおいて、前記ノズル本体部と前記風路遮断部材とは、前後方向に相対的に移動可能であって、前記ノズル本体部は、送風路の内径を水平方向に拡張させる張り出し部を有している。そして、前記ノズル本体部と前記風路遮断部材とが相対的に移動することで、前記張り出し部への送風路が開放される拡散モードと、前記張り出し部へ送風路が遮断される収束モードとが変更可能となっている。
【００１０】
また、本発明のさらなる局面にかかるヘアドライヤは、本発明の一局面にかかる吹き出しノズルを備えている。
【発明の効果】
【００１１】
本発明の一局面にかかる吹き出しノズルをヘアドライヤに取り付けることで、毛髪のスタイリングにより適した拡散モードの形状を有するヘアドライヤが得られる。
【図面の簡単な説明】
【００１２】
【図１】本発明の一実施形態にかかるヘアドライヤの外観構成を示す斜視図である。この図は、ヘアドライヤが拡散モードのときの状態を示す。
【図２】本発明の一実施形態にかかるヘアドライヤの外観構成を示す斜視図である。この図は、ヘアドライヤが収束モードのときの状態を示す。
【図３】第１の実施形態のヘアドライヤを構成する吹き出しノズルの外観構成を示す斜視図である。この図は、ヘアドライヤが拡散モードのときの状態を示す。
【図４】図３に示す吹き出しノズルの幅方向（Ｘ１−Ｘ２方向）の断面構成を示す断面図である。
【図５】第１の実施形態のアドライヤを構成する吹き出しノズルの外観構成を示す斜視図である。この図は、ヘアドライヤが収束モードのときの状態を示す。
【図６】図５に示す吹き出しノズルの幅方向（Ｘ１−Ｘ２方向）の断面構成を示す断面図である。
【図７】本発明の一実施形態にかかるヘアドライヤの内部構成を示すブロック図である。
【図８】第２の実施形態のヘアドライヤを構成する吹き出しノズルの外観構成を示す斜視図である。この図は、ヘアドライヤが拡散モードのときの状態を示す。
【図９】図８に示す吹き出しノズルの幅方向（Ｘ１−Ｘ２方向）の断面構成を示す断面図である。
【図１０】第２の実施形態のアドライヤを構成する吹き出しノズルの外観構成を示す斜視図である。この図は、ヘアドライヤが収束モードのときの状態を示す。
【図１１】図１０に示す吹き出しノズルの幅方向（Ｘ１−Ｘ２方向）の断面構成を示す断面図である。
【図１２】図１０に示す吹き出しノズルの上下方向（Ｙ１−Ｙ２方向）の断面構成を示す断面図である。
【図１３】第３の実施形態のヘアドライヤを構成する吹き出しノズルの外観構成を示す斜視図である。この図は、ヘアドライヤが拡散モードのときの状態を示す。
【図１４】図１３に示す吹き出しノズルの吹き出し口の概略形状を示す正面図である。
【図１５】第４の実施形態のヘアドライヤを構成する吹き出しノズルの外観構成を示す斜視図である。この図は、ヘアドライヤが収束モードのときの状態を示す。
【図１６】第５の実施形態のヘアドライヤを構成する吹き出しノズルの外観構成を示す斜視図である。この図は、ヘアドライヤが収束モードのときの状態を示す。
【発明を実施するための形態】
【００１３】
以下、図面を参照しつつ、本発明の実施の形態について説明する。以下の説明では、同一の部品には同一の符号を付してある。それらの名称および機能も同じである。したがって、それらについての詳細な説明は繰り返さない。
【００１４】
＜第１の実施形態＞
本実施形態では、本発明の一実施形態にかかる吹き出しノズルが取り付けられたヘアドライヤ（毛髪乾燥機）を例に挙げて説明する。なお、実施形態では、吹き出しノズルは、ヘアドライヤの本体部と別部材であって、本体部の吹き出し口から取り外し可能に構成される。但し、本発明はこのような構成に限定はされない。例えば、本発明の別の態様として、ヘアドライヤと一体型の吹き出しノズルが挙げられる。
【００１５】
（ヘアドライヤの全体構成）
先ず、本発明の一実施形態にかかるヘアドライヤ１の全体構成について、図１および図２を用いて説明する。ここでは、本明細書で説明する各実施形態に適用可能なヘアドライヤの概略的な構成について説明する。そのため、図１および図２では、吹き出しノズル３０は概略的に図示している。すなわち、図１および図２に示す吹き出しノズル３０では、例えば、第１の実施形態にかかる吹き出しノズル３０が有している整流部材４４などの詳細な構成については、図示を省略している。
【００１６】
本実施形態にかかるヘアドライヤ１では、吹き出しノズル３０の送風路の形状を、第１の形状および第２の形状という２つの形状に異ならせた状態で稼働させることができる。ここでは、吹き出しノズル３０が第１の形状のときの運転モードを拡散モードと呼び、吹き出しノズル３０が第２の形状のときの運転モードを収束モードと呼ぶ。なお、収束モードは、速乾モードとも呼ばれる。
【００１７】
図１は、ヘアドライヤ１が拡散モードのときの状態を示す。図２は、ヘアドライヤ１が収束モードのときの状態を示す。
【００１８】
図１に示すように、ヘアドライヤ１は、主として、本体部１０と、吹き出しノズル３０とで構成されている。吹き出しノズル３０は、本体部１０の風の吹き出し口１２に取り付けて使用される。
【００１９】
本明細書では、ヘアドライヤ１の各構成要素の形状および位置関係などを説明するにあたって、便宜上、ヘアドライヤ１（並びに、本体部１０および吹き出しノズル３０）を図１および図２に示すようなＸ（Ｘ１−Ｘ２）方向（幅方向）、Ｙ（Ｙ１−Ｙ２）方向（上下方向）、Ｚ（Ｚ１−Ｚ２）方向（前後方向）という三方向の座標軸で規定する。
【００２０】
図１などに示すように、ヘアドライヤ１の外観形状は、使用時の状態で、側面視において略Ｔ字形状を有する。本体部１０の外形は、主として、樹脂であるプラスチックなどで形成された筐体で構成されている。筐体は、Ｚ方向に延びる本体部１０と、本体部１０から略Ｙ２方向に延びる持ち手部２０とで構成されている。なお、本実施形態では、持ち手部２０は、折り畳みできるようになっているが、折り畳みできない構造であってもよい。
【００２１】
Ｚ１−Ｚ２方向に延びる本体部１０の一方の端部（例えば、Ｚ２側の端部）には、空気の吸い込み口（図示せず）が設けられており、本体部１０の他方の端部（例えば、Ｚ１側の端部）には、風の吹き出し口１２が設けられている。
【００２２】
また、本体部１０の側面には、表示部７８が設けられている。表示部７８には、例えば、現在の運転モードなどが表示される。
【００２３】
持ち手部２０には、操作部２１が設けられている。ヘアドライヤ１の使用時に、ユーザが操作部２１を操作することで、ヘアドライヤ１が動作を開始したり停止したりする。また、操作部２１が操作されることで、吹き出し口１２から吹き出す風の種類（温風／冷風）および風量などが調節される。
【００２４】
持ち手部２０の下端部（Ｙ２方向の端部）には、電源コード２２が設けられている。
【００２５】
図７には、ヘアドライヤ１の本体部１０の内部構成を示す。本体部１０には、制御部７１、ヒータ７２、ファン７３、イオン供給部（帯電微粒子発生装置の一種）７５、操作部２１、および表示部７８などが備えられている。
【００２６】
制御部７１は、操作部２１で操作された内容に応じて、ヒータ７２、ファン７３、駆動モータ（図示せず）、およびイオン供給部７５などの動作を制御する。
【００２７】
ファン７３は、駆動モータに連結されている。ヘアドライヤ１の稼働時、駆動モータの駆動力によってファン７３が回転する。これにより、ヘアドライヤ１の内部で、吸い込み口から吹き出し口１２へと向かう空気の流れが形成される。
【００２８】
ヒータ７２は、吸い込み口から本体部１０内へ取り込まれた空気を加熱する。ヘアドライヤ１の稼働時、ヒータ７２が稼働することで、ヘアドライヤ１の内部に取り込まれた空気が加熱され、吹き出し口１２から温風を送出させることができる。
【００２９】
イオン供給部７５は、吹き出し口１２の近傍に配置されている。
【００３０】
イオン供給部７５は、正（＋）イオン（例えば、Ｈ＋（Ｈ２Ｏ）ｍ（ｍは任意の自然数））および負（−）イオン（例えば、Ｏ２−（Ｈ２Ｏ）ｎ（ｎは任意の自然数））の少なくとも何れかを発生する。本体部１０にイオン供給部７５が備えられていることで、ヘアドライヤ１から吹き出す風にイオンを含有させることができる。ヘアドライヤ１から吹き出す風にイオンが含まれていることで、ヘアドライヤ１によって風が供給される頭皮のうるおいを保つなど、頭皮環境を整えることができる。また、ヘアドライヤ１によって風が供給される毛髪のうるおいをキープしたり、キューティクルを引き締めたりして毛髪のダメージを抑え、トリートメント効果を得ることができる。なお、本発明の別の態様にかかるヘアドライヤでは、イオン供給部が設けられていない構成とすることもできる。
【００３１】
操作部２１は、ユーザによって操作される。操作部２１における操作情報は、制御部７１へ送信される。
【００３２】
以上の構成により、本体部１０の吹き出し口１２から風を吹き出すことができる。本体部１０の吹き出し口１２を毛髪方向に向けることで、吹き出し口１２からの風を毛髪へ当てることができる。これにより、毛髪を乾燥させることができる。
【００３３】
本実施形態では、上記の構成を有する本体部１０の吹き出し口１２に吹き出しノズル３０が取り付けられる。本体部１０に吹き出しノズル３０を取り付けた状態でヘアドライヤ１を稼働させると、吹き出し口１２から吹き出される風は、吹き出しノズル３０を通過して、吹き出しノズル３０の先端部からユーザの頭部およびその近傍へ導かれる。
【００３４】
（吹き出しノズルの構成）
続いて、第１の実施形態にかかる吹き出しノズル３０のより具体的な構成について、図３から図６を参照しながら説明する。図３および図５には、吹き出しノズル３０の外観構成をより具体的に示す。図３および図５には、第１の実施形態にかかる吹き出しノズル３０を、本体部１０から取り外した状態（吹き出しノズル３０単体の図）で示す。図３は、ヘアドライヤ１が拡散モードのときの吹き出しノズル３０の状態を示し、図５は、ヘアドライヤ１が収束モードのときの吹き出しノズル３０の状態を示す。
【００３５】
第１の実施形態にかかる吹き出しノズル３０は、主として、内筒部（風路遮断部材、筒状部材）３１と、外筒部（ノズル本体部）３２とで構成される。内筒部３１は、内部に送風路を有する。外筒部３２は、内筒部３１の外周を覆うように設けられている。つまり、吹き出しノズル３０は、内筒部３１と外筒部３２との二重構造を有している。
【００３６】
内筒部３１と外筒部３２とは、ヘアドライヤ１の前後方向（Ｚ方向）に相対的に移動可能に構成されている。本実施形態では、内筒部３１は、ヘアドライヤ１の本体部１０の吹き出し口１２に固定された状態で接続される。そして、外筒部３２が、内筒部３１に対して前後方向（Ｚ方向）に移動可能に構成される。
【００３７】
内筒部３１に対して外筒部３２を前後方向に移動させることで、吹き出しノズル３０の送風路の形状が、第１の形状（拡散モード）と第２の形状（収束モード）との間で変更される。
【００３８】
図４には、図３に示す吹き出しノズル３０の幅方向（Ｘ方向）の断面構成（言い換えれば、ＸＺ平面で切断した場合の断面構成）を示す。図４は、Ｙ２側からＹ１側を見た際の断面を示す図である。図６には、図５に示す吹き出しノズル３０の幅方向（Ｘ方向）の断面構成（言い換えれば、ＸＺ平面で切断した場合の断面構成）を示す。図６は、Ｙ２側からＹ１側を見た際の断面を示す図である。図４および図６は、外筒部３２の最も幅広の部分（張り出し部５１ａおよび５１ｂの頂部）における切断面を示す図である。
【００３９】
内筒部３１は、主として、筒状部３１ａと、取り付け部４１と、位置調整部４２と、整流部材４４とを有している。
【００４０】
筒状部３１ａは、円筒形状を有しており、内筒部３１の本体部分を構成する。筒状部３１ａの内部に送風路が形成される。
【００４１】
取り付け部４１は、吹き出しノズル３０の後端部側（Ｚ２側）に位置し、略円筒形状を有している。取り付け部４１が本体部１０の吹き出し口１２に対して取り付けられることで、吹き出しノズル３０は本体部１０に対して接続される。
【００４２】
位置調整部４２は、筒状部３１ａの外周に形成された複数の突起で構成されている。内筒部３１と外筒部３２とが組み合わされた状態で、これらの各突起のうちの何れか一つの突起４２ａは、外筒部３２の後端部（Ｚ２側）に形成された凹部４２ｂに嵌まり込む（図４および図６参照）。
【００４３】
これにより、内筒部３１に対する外筒部３２の前後方向の位置が決定される。すなわち、位置調整部４２の複数の突起のうちの何れの突起を凹部４２ｂに嵌め込むかによって、内筒部３１と外筒部３２との相対的な位置が変更される。このようにして、内筒部３１と外筒部３２とは、その前後方向の相対的な位置を複数段階に調整することができる。
【００４４】
整流部材４４は、筒状部３１ａ内の送風路に設けられている。本実施形態では、整流部材４４は、２つの板状の部材を断面が略Ｘ字状になるように組み合わせて形成されている。
【００４５】
筒状部３１ａ内の送風路に整流部材４４が設けられていない状態では、内筒部３１内を通過する空気は、筒状部３１ａの内側の側壁に沿って流れやすい。そのため、筒状部３１ａ内を流れる風の風速は、送風路の中央部分と比較して側壁付近の方が大きくなる。これにより、内筒部３１から吹き出す風は、吹き出し口から外側へ広がりやすくなる。
【００４６】
一方、筒状部３１ａ内に整流部材４４が設けられていると、筒状部３１ａ内の送風路の中央部分にも（整流部材４４によって）壁面が形成される。そして、内筒部３１内に送り込まれた空気は、筒状部３１ａの側壁以外の壁面（例えば、送風路の中央部分の壁面）にも沿うようにして流れる。したがって、整流部材４４が設けられていることで、送風路内を通過する風が吹き出し口から広がるように流れることが抑制される。すなわち、送風路内を通過する風を、吹き出し口の方向に沿って均一に吹き出すことができる。
【００４７】
なお、本実施形態では、整流部材４４は、断面が略Ｘ字状の形状を有しているが、整流部材の形状はこれに限定はされない。例えば、板状（断面が略Ｉ字状）の整流部材、またはらせん状にねじれた板状の整流部材を設けることもできる。
【００４８】
外筒部３２は、内筒部３１の前方側（Ｚ１側）を少なくとも覆うように、内筒部３１に取り付けられている。外筒部３２は、主として、２つの張り出し部５１ａおよび５１ｂと、中央部５２とで構成されている。これらの各構成部材によって、外筒部３２の内部に送風路が形成される。また、外筒部３２の先端部（Ｚ１側の端部）は、風の吹き出し口４５となっている。
【００４９】
張り出し部５１ａおよび５１ｂは、外筒部３２の後端部側（Ｚ２側）から先端部側（Ｚ１側）へ向けて、送風路の内径を部分的に拡張させるように形成されている。張り出し部５１ａと張り出し部５１ｂとは、中央部５２を間に挟んで互いに対向する位置に配置されている。吹き出しノズル３０が本体部１０に取り付けられた状態で、２つの張り出し部５１ａおよび５１ｂは、水平方向（Ｘ方向）に延びた状態となっている（図１および図２参照）。中央部５２は、概略的には円筒形状を有している。
【００５０】
図３に示すように、吹き出しノズル３０が拡散モードのときには、外筒部３２の後端部（Ｚ２側の端部）と内筒部３１の先端部（Ｚ１側の端部）とが接続された状態となっている。
【００５１】
また、図５に示すように、吹き出しノズル３０が収束モードのときには、中央部５２の内側表面は、内筒部３１の筒状部３１ａの外側表面と重なるような位置関係となっている。そしてこのとき、内筒部３１の先端部（Ｚ１側の端部）と、外筒部３２の先端部（Ｚ１側の端部、すなわち吹き出し口４５）とは、前後方向（Ｚ１−Ｚ２方向）において略同じ位置にある。この構成によれば、吹き出しノズル３０の先端の吹き出し面を略平坦な形状とすることができる。したがって、吹き出しノズル３０の吹き出し口から送出される風の流れの損失を低減することができる。
【００５２】
このように、本実施形態にかかる吹き出しノズル３０は、内筒部３１に対する外筒部３２の前後方向の位置を変更させることで、吹き出しノズル３０の送風路の形状が、第１の形状（拡散モード）と第２の形状（収束モード）との間で変更される。
【００５３】
吹き出しノズル３０の送風路の形状が第１の形状のとき（すなわち、拡散モードのとき）には、図４に示すように、外筒部３２の各張り出し部５１ａおよび５１ｂへの送風路が開放される。これにより、本体部１０の吹き出し口１２からの風は、内筒部３１内の送風路の先端部から外筒部３２内の送風路へ流入し、中央部５２並びに各張り出し部５１ａおよび５１ｂ内を通過して、吹き出し口４５から吹き出される。そして、吹き出し口４５からは、水平方向（Ｘ方向）に拡張されるように風が吹き出される（図４参照）。
【００５４】
また、吹き出しノズル３０の送風路の形状が第２の形状のとき（すなわち、収束モードのとき）には、図６に示すように、外筒部３２の各張り出し部５１ａおよび５１ｂへの送風路は、内筒部３１によって遮断される。これにより、本体部１０の吹き出し口１２からの風は、内筒部３１内の送風路を通過して、吹き出し口４５から吹き出される。そして、吹き出し口４５からは、外筒部３２の中央部５２に収束した状態で風が吹き出される（図６参照）。
【００５５】
なお、本実施形態にかかる吹き出しノズル３０では、位置調整部４２が３個以上の突起（本実施形態では、４個）を有していることで、内筒部３１と外筒部３２とを第１の形状と第２の形状との中間の位置で固定することができる。これにより、収束モードと拡散モードとの中間の状態での風の吹き出しが可能となる。
【００５６】
なお、本実施形態では、内筒部３１側に突起を設け、外筒部３２側に凹部を設けることによって位置調整部４２が構成されているが、別の実施形態では、内筒部３１側に凹部を設け、外筒部３２側に突起を設けてもよい。
【００５７】
また、本実施形態にかかる吹き出しノズル３０では、内筒部３１と外筒部３２とを連結する弾性部材である圧縮ばね４３が設けられている（図４および図６参照）。圧縮ばね４３により、内筒部３１と外筒部３２とが拡散モード（図４に示す第１の形状）の状態となる方向に付勢されている。そして、ユーザが、外筒部３２を後方（Ｚ２方向）へ押し返すことで、収束モード（図６に示す第２の形状）の状態に変更される。また、吹き出しノズル３０には、収束モードの状態を開放するための押し釦などの操作部（図示せず）が設けられている。
【００５８】
この構成により、ユーザが操作部を押すなどすることで、ワンタッチで外筒部３２を前方（Ｚ１）方向へ移動させることができる。そのため、操作部を一回ずつ操作することで、吹き出しノズル３０の形状を、収束モードから中間モードを経由して拡散モードへと段階的に変更させることができる。
【００５９】
なお、本発明の別の態様では、圧縮ばね４３の代わりに、引っ張りばねを用いることも可能である。引っ張りばねにより、内筒部３１と外筒部３２とが収束モード（図６に示す第２の形状）の状態となる方向に付勢されている。そして、ユーザが、外筒部３２を前方（Ｚ１方向）へ引き出すことで、拡散モード（図４に示す第１の形状）の状態に変更される。
【００６０】
ここで、ヘアドライヤ１が拡散モードのとき、およびヘアドライヤ１が収束モードのときのそれぞれの場合の吹き出しノズル３０の送風路の詳しい形状について、以下に説明する。
【００６１】
図３と図５を比較すると、拡散モードは、収束モードに比べて、吹き出し口４５の面積が広くなっている。すなわち、外筒部３２に対して内筒部３１が後方側に位置しているため、幅方向（Ｘ１−Ｘ２方向）に長く延びる形状を有する各張り出し部５１ａおよび５１ｂへの送風路は、開放された状態となっている（図３参照）。そのため、ヘアドライヤ１が拡散モードの状態では、風速が比較的小さく緩やかな風を、ヘアドライヤ１の幅方向に広範囲にわたって吹き出すことができる（図４参照）。
【００６２】
また、ヘアドライヤ１が拡散モードの状態では、ユーザが感じる風の温度は、収束モードのときと比較して、低く感じる。これは、拡散モードのときには、収束モードのときと比較して、温風（熱）が広範囲に広がることに起因する。そのため、拡散モードは、毛髪および頭皮などの施術対象箇所に比較的近い位置で使用される場合に適している。
【００６３】
一方、収束モードでは、張り出し部５１ａ・５１ｂへの送風路は、内筒部３１によって遮断されている（図５参照）。そのため、張り出し部５１ａ・５１ｂから風が吹き出すことはない。すなわち、収束モードでは、吹き出し口４５の中央の略円形の部分から、風の大部分（ほとんどの風）が吹き出す（図５および図６参照）。
【００６４】
このように、収束モードでは、拡散モードに比べて、吹き出しノズル３０の吹き出し口の面積が小さくなっている。そのため、ヘアドライヤ１が収束モード状態では、風速が比較的大きく強い風を、限られた範囲に集中して吹き出すことができる。
【００６５】
以上のことから、拡散モードは、毛髪のスタイリング時や毛髪乾燥時の仕上げ時などに好適に選択される。また、収束モードは、濡れた髪を短時間で乾燥させるときなどに好適に選択される。このことから、収束モードは、速乾モードとも呼ばれる。
【００６６】
なお、本実施形態にかかる吹き出しノズル３０では、内筒部３１の内側表面と、外筒部３２の内側表面との境界部分が、略面一になるように構成されていてもよい。言い換えると、内筒部３１の内側表面と外筒部３２の内側表面とが、滑らかに連結していてもよい。これにより、内筒部３１の内側表面と外筒部３２の内側表面とによって、略滑らかな送風路の壁面が形成される。この構成によれば、ヘアドライヤ１が拡散モードのときに、内筒部３１から外筒部３２の張り出し部５１ａおよび５１ｂへ流れる風の損失を低減させることができる。
【００６７】
（第１の実施形態のまとめ）
以上のように、本実施形態にかかるヘアドライヤ１は、本体部１０と吹き出しノズル３０とを備えている。吹き出しノズル３０は、内筒部（風路遮断部材）３１と、内筒部３１の外周を覆うように設けられた外筒部（ノズル本体部）３２とを備えている。外筒部３２は、送風路の内径を水平方向（Ｘ方向）に部分的に拡張させる張り出し部５１ａおよび５１ｂを有している。また、吹き出しノズル３０は、内筒部３１に対して外筒部３２を前後方向に移動可能に構成されている。
【００６８】
そして、吹き出しノズル３０は、内筒部３１を本体部１０に固定させた状態で、外筒部３２を前後方向に移動させて、送風路の形状を第１の形状（拡散モード）と第２の形状（収束モード）との間で変更可能に構成されている。この構成によれば、吹き出しノズルの付け替えを行うことなく、拡散モードと収束モードとの切り換えを行うことができる。
【００６９】
また、吹き出しノズル３０の送風路の形状が第１の形状（拡散モード）のときには、本体部１０の吹き出し口１２から内筒部３１内の送風路に流入した風は、張り出し部５１ａおよび５１ｂに流入する。このようにして、拡散モードのときには、ヘアドライヤ１の幅方向（Ｘ１−Ｘ２方向）に延びる両張り出し部５１ａおよび５１ｂから、風が吹き出される（図１中の矢印参照）。これにより、ヘアドライヤ１に対して水平方向に広がるような風が吹き出される。
【００７０】
このように本実施形態によれば、第１の形状（拡散モード）のときの吹き出し口の形状を、ヘアドライヤ１の幅方向（Ｘ１−Ｘ２方向）に拡張させて、毛髪のスタイリングにより適した拡散モードの形状を有するヘアドライヤの吹き出しノズルが得られる。
【００７１】
また、吹き出しノズル３０の送風路の形状が第２の形状（収束モード）のときには、内筒部３１によって各張り出し部５１ａ・５１ｂへの送風路が遮断されるため、各張り出し部５１ａ・５１ｂから風が吹き出すことはない。すなわち、収束モードでは、吹き出しノズル３０の中央の略円形の部分から、風の大部分（ほとんどの風）が吹き出す（図２中の矢印参照）。
【００７２】
このように、収束モードでは、拡散モードに比べて、吹き出しノズル３０の吹き出し口の面積が小さくなっている。そのため、ヘアドライヤ１が収束モード状態では、風速が比較的速く強い風を、限られた範囲に集中して吹き出すことができる。そのため、収束モードのときの吹き出しノズル３０の送風路の形状を、短時間で毛髪を乾かしたい場合に好適な形状とすることできる。
【００７３】
＜第２の実施形態＞
続いて、本発明の第２の実施形態について説明する。第２の実施形態では、吹き出しノズル１３０の構成が第１の実施形態とは異なっている。それ以外の構成については、第１の実施形態と同様の構成を適用することができる。そこで、以下では、第１の実施形態とは異なる構成を中心に説明する。
【００７４】
図８および図１０には、第２の実施形態にかかる吹き出しノズル１３０の外観を示す。この吹き出しノズル１３０は、図１に示す吹き出しノズル３０と同様に、ヘアドライヤ１の本体部１０の吹き出し口１２に取り付けて使用される。図８は、吹き出しノズル１３０が拡散モードのときの状態を示す。図１０は、吹き出しノズル１３０が収束モードのときの状態を示す。
【００７５】
図９には、図８に示す吹き出しノズル１３０の幅方向（Ｘ方向）の断面構成（言い換えれば、ＸＺ平面で切断した場合の断面構成）を示す。図９は、Ｙ２側からＹ１側を見た際の断面を示す図である。図１１には、図１０に示す吹き出しノズル１３０の幅方向（Ｘ方向）の断面構成（言い換えれば、ＸＺ平面で切断した場合の断面構成）を示す。図１１は、Ｙ２側からＹ１側を見た際の断面を示す図である。図４および図６は、ノズル本体部１３２の最も幅広の部分（張り出し部１５１ａおよび１５１ｂの頂部）における切断面を示す図である。
【００７６】
吹き出しノズル１３０は、主として、ノズル本体部１３２と、シャッタ部材（風路遮断部材）１３１とで構成される。ノズル本体部１３２は、吹き出しノズル１３０の外形を主に形成している。吹き出しノズル１３０は、主として、筒状部１３２ａと、２つの張り出し部１５１ａおよび１５１ｂと、中央部１５２とで構成されている。これらの各構成部材によって、ノズル本体部１３２の内部に送風路が形成される。また、ノズル本体部１３２の先端部（Ｚ１側の端部）は、風の吹き出し口１４５となっている。
【００７７】
筒状部１３２ａは、吹き出しノズル１３０の後端部側（Ｚ２側）に位置する。筒状部１３２ａは、略円筒形状を有している。筒状部１３２ａの最後端には、取り付け部１４１が設けられている。取り付け部１４１が本体部１０の吹き出し口１２に対して取り付けられることで、吹き出しノズル３０は本体部１０に対して接続される。
【００７８】
張り出し部１５１ａおよび１５１ｂは、ノズル本体部１３２の後端部側（Ｚ２側）から先端部側（Ｚ１側）へ向けて、送風路の内径を部分的に拡張させるように形成されている。張り出し部１５１ａと張り出し部１５１ｂとは、中央部１５２を間に挟んで互いに対向する位置に配置されている。第１の実施形態と同様に、吹き出しノズル１３０が本体部１０に取り付けられた状態で、２つの張り出し部１５１ａおよび１５１ｂは、水平方向（Ｘ方向）に延びた状態となっている。
【００７９】
中央部１５２は、概略的には円筒形状を有している。
【００８０】
シャッタ部材１３１は、ノズル本体部１３２内の空間に配置されている。シャッタ部材１３１は、ノズル本体部１３２内を前後方向（Ｚ方向）に移動可能に構成されている。
【００８１】
本実施形態では、シャッタ部材１３１は、筒状の形状を有している。そして、シャッタ部材１３１には、水平方向（Ｘ方向）の両側に側壁１３１ａおよび１３１ｂが設けられている。
【００８２】
側壁１３１ａは、吹き出しノズル１３０が収束モードのとき、ノズル本体部１３２の張り出し部１５１ａへの送風路を塞ぐような位置に設けられている。側壁１３１ｂは、吹き出しノズル１３０が収束モードのとき、ノズル本体部１３２の張り出し部１５１ｂへの送風路を塞ぐような位置に設けられている。
【００８３】
なお、本実施形態では、シャッタ部材１３１は、筒状の形状を有しているが、本発明の別の態様では、シャッタ部材１３１は、２つの側壁１３１ａおよび１３１ｂと、それらを連結する連結部材とで構成されていてもよい。
【００８４】
また、シャッタ部材１３１には、整流部材１４４が設けられている。整流部材１４４は、吹き出しノズル１３０の送風路内に位置する。第１の実施形態と同様に、整流部材１４４は、２つの板状の部材を断面が略Ｘ字状になるように組み合わせて形成されている。
【００８５】
上述したように、シャッタ部材１３１は、吹き出しノズル１３０内を前後方向に移動可能である。そして、シャッタ部材１３１が後方側（Ｚ２側）に位置しているとき（図８および図９に示す状態のとき）、吹き出しノズル１３０は拡散モードとなる。このとき、ノズル本体部１３２の各張り出し部１５１ａおよび１５１ｂへの送風路が開放される。これにより、本体部１０の吹き出し口１２からの風は、筒状部１３２ａおよびシャッタ部材１３１で形成された送風路から、中央部５２並びに各張り出し部５１ａおよび５１ｂ内を通過して、吹き出し口１４５から吹き出される。そして、吹き出し口１４５からは、水平方向（Ｘ方向）に拡張されるように風が吹き出される。
【００８６】
また、シャッタ部材１３１が前方側（Ｚ１側）に位置しているとき（図１０および図１１に示す状態のとき）、吹き出しノズル１３０は収束モードとなる。このとき、ノズル本体部１３２の各張り出し部１５１ａおよび１５１ｂへの送風路は、シャッタ部材１３１によって塞がれる。これにより、本体部１０の吹き出し口１２からの風は、筒状部１３２ａを通過した後、シャッタ部材１３１およびノズル本体部１３２の中央部１５２を通過して、吹き出し口１４５から吹き出される。そして、吹き出し口１４５からは、ノズル本体部１３２の中央部１５２に収束した状態で風が吹き出される。
【００８７】
なお、シャッタ部材１３１には、操作部１４７が設けられている。操作部１４７は、ノズル本体部１３２の外周面（例えば、筒状部１３２ａおよび中央部１５２の上面）に設けられている。図１２に示すように、操作部１４７は、シャッタ部材１３１の後端部と連結されている。図１２は、図１０に示す吹き出しノズル１３０の上下方向（Ｙ方向）の断面構成（言い換えれば、ＹＺ平面で切断した場合の断面構成）を示す。
【００８８】
ユーザは、操作部１４７のツマミ１４７ａを前後方向に移動させることで、シャッタ部材１３１を移動させ、拡散モードと収束モードとを変更することができる。
【００８９】
また、シャッタ部材１３１には、第１の実施形態と同様に、ノズル本体部１３２とシャッタ部材１３１とを連結する弾性部材（例えば、圧縮ばね、引っ張りばねなど）１４３が設けられていてもよい（図１２参照）。
【００９０】
例えば、引っ張りばね１４３によって、シャッタ部材１３１とノズル本体部１３２とが拡散モード（図８に示す第１の形状）の状態の方向に付勢されている。そして、ユーザが、操作部１４７を前方（Ｚ１方向）へ引き出す（スライドさせる）ことで、収束モード（図１０に示す第２の形状）の状態に変更される。また、吹き出しノズル１３０には、収束モードの状態を開放するための押し釦（図示せず）などが設けられている。
【００９１】
この構成により、ユーザが押し釦を押すなどすることで、ワンタッチで外筒部３２を後方（Ｚ２）方向へ移動させることができる。そのため、操作部を一回操作することで、吹き出しノズル３０の形状を、収束モードから拡散モードへと即座に変更させることができる。
【００９２】
なお、本発明の別の態様では、引っ張りばね１４３の代わりに、圧縮ばねを用いることも可能である。圧縮ばねにより、シャッタ部材１３１が収束モード（図１０に示す第２の形状）の状態となる方向に付勢されている。そして、ユーザが、シャッタ部材１３１を後方（Ｚ２方向）へ押す（スライドさせる）ことで、拡散モード（図８に示す第１の形状）の状態に変更される。
【００９３】
＜第３の実施形態＞
続いて、本発明の第３の実施形態について説明する。第３の実施形態では、吹き出しノズルを構成する外筒部２３２の構成が第１の実施形態とは異なっている。それ以外の構成については、第１の実施形態と同様の構成を適用することができる。そこで、以下では、第１の実施形態とは異なる構成を中心に説明する。
【００９４】
図１３には、第３の実施形態にかかる吹き出しノズル２３０の外観を示す。この吹き出しノズル２３０は、図１に示す吹き出しノズル３０と同様に、ヘアドライヤ１の本体部１０の吹き出し口１２に取り付けて使用される。図１３は、吹き出しノズル１３０が拡散モードのときの状態を示す。また、図１４には、吹き出しノズル２３０が収束モードのときの状態を示す。
【００９５】
第３の実施形態にかかる吹き出しノズル２３０は、主として、内筒部（風路遮断部材、筒状部材）２３１と、外筒部（ノズル本体部）２３２とで構成される。
【００９６】
第１の実施形態と同様に、内筒部２３１は、主として、筒状部２３１ａと、取り付け部２４１と、位置調整部２４２と、整流部材２４４とを有している。
【００９７】
外筒部２３２は、主として、２つの張り出し部２５１ａおよび２５１ｂと、中央部２５２とで構成されている。これらの各構成部材によって、外筒部２３２の内部に送風路が形成される。また、外筒部２３２の先端部（Ｚ１側の端部）は、風の吹き出し口２４５となっている。これらの構成については、第１の実施形態の外筒部３２と同様の構成が適用できる。但し、外筒部２３２には、圧縮ばねなどの弾性部材は設けられていない。
【００９８】
また、外筒部２３２には、外筒部３２とは異なる構成として、羽根部２５４が設けられている。羽根部２５４は、各張り出し部２５１ａおよび２５１ｂの送風路内に配置されている。図１３に示すように、羽根部２５４は、板状の部材であり、完全な平板ではなく、ややねじれた形状を有している。羽根部２５４は、各張り出し部２５１ａおよび２５１ｂの送風路内を斜めに横断するように配置されている。
【００９９】
このような羽根部２５４を有していることで、吹き出しノズル１３０が拡散モードのときに、本体部１０からの風を受けて、図１３中に矢印で示すように、外筒部２３２の張り出し部２５１ａおよび２５１ｂを回転させることができる。
【０１００】
このように、本発明の一態様では、拡散モードのときに、張り出し部が回転可能に構成されていてもよい。なお、本実施形態とは別の実施態様では、羽根部を設けることなく、ユーザが手動で張り出し部を回転させてもよい。
【０１０１】
＜第４の実施形態＞
続いて、本発明の第４の実施形態について説明する。第４の実施形態では、吹き出しノズル３３０の内筒部３３１の構成が第１の実施形態とは異なっている。それ以外の構成については、第１の実施形態と同様の構成を適用することができる。そこで、以下では、第１の実施形態とは異なる構成を中心に説明する。
【０１０２】
図１５には、第４の実施形態にかかる吹き出しノズル３３０の外観を示す。この吹き出しノズル３３０は、図１に示す吹き出しノズル３０と同様に、ヘアドライヤ１の本体部１０の吹き出し口１２に取り付けて使用される。図１５は、吹き出しノズル３３０が収束モードのときの状態を示す。
【０１０３】
第４の実施形態にかかる吹き出しノズル３３０は、主として、内筒部（風路遮断部材、筒状部材）３１と、外筒部（ノズル本体部）３２とで構成される。
【０１０４】
第１の実施形態と同様に、内筒部３１は、主として、筒状部３１ａと、取り付け部４１とを有している。なお、本実施形態にかかる外筒部３２には、整流部材、および第１の形状と第２形状との間における位置調整部は設けられていない。
【０１０５】
外筒部３２は、主として、２つの張り出し部５１ａおよび５１ｂと、中央部５２とで構成されている。これらの各構成部材によって、外筒部３２の内部に送風路が形成される。また、外筒部３２の先端部（Ｚ１側の端部）は、風の吹き出し口４５となっている。これらの構成については、第１の実施形態の外筒部３２と同様の構成が適用できる。但し、外筒部３２には、圧縮ばねなどの弾性部材は設けられていない。
【０１０６】
第４の実施形態にかかる吹き出しノズル３３０は、内筒部３１を本体部１０に固定させた状態で、外筒部３２を前後方向に移動させて、送風路の形状を第１の形状（拡散モード）と第２の形状（収束モード）との間で変更可能に構成されている。この構成によれば、吹き出しノズルの付け替えを行うことなく、拡散モードと収束モードとの切り換えを行うことができる。
【０１０７】
＜第５の実施形態＞
続いて、本発明の第５の実施形態について説明する。第５の実施形態では、吹き出しノズル４３０のシャッタ部材１３１の構成が第２の実施形態とは異なっている。それ以外の構成については、第２の実施形態と同様の構成を適用することができる。そこで、以下では、第２の実施形態とは異なる構成を中心に説明する。
【０１０８】
図１６には、第５の実施形態にかかる吹き出しノズル４３０の外観を示す。この吹き出しノズル４３０は、図１に示す吹き出しノズル３０と同様に、ヘアドライヤ１の本体部１０の吹き出し口１２に取り付けて使用される。図１６は、吹き出しノズル４３０が収束モードのときの状態を示す。
【０１０９】
第５の実施形態にかかる吹き出しノズル４３０は、主として、ノズル本体部１３２と、シャッタ部材（風路遮断部材）１３１とで構成される。これらの構成については、第２の実施形態のノズル本体部１３２と同様の構成が適用できる。
【０１１０】
シャッタ部材１３１は、ノズル本体部１３２内の空間に配置されている。シャッタ部材１３１は、ノズル本体部１３２内を前後方向（Ｚ方向）に移動可能に構成されている。
【０１１１】
シャッタ部材１３１は、板状部材を折り曲げて形成されている。そして、シャッタ部材１３１には、水平方向（Ｘ方向）の両側に側壁１３１ａおよび１３１ｂが設けられている。図１６には図示されていないが、シャッタ部材１３１は、操作部１４７（図８など参照）を有していてもよい。但し、本実施形態にかかるノズル本体部１３２には、整流部材は設けられていない。また、本実施形態にかかるノズル本体部１３２には、ノズル本体部１３２とシャッタ部材１３１とを連結するばねは設けられていない。
【０１１２】
第５の実施形態にかかる吹き出しノズル４３０は、ノズル本体部１３２を本体部１０に固定させた状態で、シャッタ部材１３１を前後方向に移動させて、送風路の形状を第１の形状（拡散モード）と第２の形状（収束モード）との間で変更可能に構成されている。この構成によれば、吹き出しノズルの付け替えを行うことなく、拡散モードと収束モードとの切り換えを行うことができる。
【０１１３】
（まとめ）
本発明の一局面は、ヘアドライヤの吹き出しノズル（例えば、吹き出しノズル３０・１３０・２３０・３３０・４３０）に関する。吹き出しノズルは、吹き出し口（例えば、４５など）を有するノズル本体部（例えば、外筒部３２、ノズル本体部１３２など）と、ノズル本体部内に配置されている風路遮断部材（例えば、内筒部３１、シャッタ部材１３１など）とを備えている。前記ノズル本体部と前記風路遮断部材とは、前記吹き出しノズルの前後方向（Ｚ方向）に相対的に移動可能である。前記ノズル本体部は、送風路の内径を前記吹き出しノズルの水平方向（Ｘ方向）に拡張させる張り出し部（例えば、５１ａおよび５１ｂ、１５１ａおよび１５１ｂなど）を有している。そして、前記ノズル本体部と前記風路遮断部材とが相対的に移動することで、前記張り出し部への送風路が開放される拡散モードと、前記張り出し部へ送風路が遮断される収束モードとが変更可能となっている。
【０１１４】
上記の本発明の一局面にかかる吹き出しノズル（例えば、吹き出しノズル３０など）において、前記風路遮断部材は、筒状部材（例えば、内筒部３１など）であってもよい。
【０１１５】
上記の本発明の一局面にかかる吹き出しノズル（例えば、吹き出しノズル３０など）において、前記風路遮断部材は、前記張り出し部への風路を塞ぐシャッタ部材（例えば、シャッタ部材１３１など）であってもよい。
【０１１６】
上記の本発明の一局面にかかる吹き出しノズル（例えば、吹き出しノズル２３０など）は、前記拡散モードのときに、前記張り出し部が回転可能に構成されていてもよい。
【０１１７】
上記の本発明の一局面にかかる吹き出しノズル（例えば、吹き出しノズル３０・１３０・２３０）において、前記送風路内には整流部材（例えば、整流部材４４・１４４・２４４）が設けられていてもよい。
【０１１８】
上記の本発明の一局面にかかる吹き出しノズル（例えば、吹き出しノズル３０）において、前記ノズル本体部および前記風路遮断部材の少なくとも何れか一方には、前記ノズル本体部と前記風路遮断部材との前後方向の相対的な位置を複数個所で固定可能な位置調整部（例えば、位置調整部４２）が設けられていてもよい。
【０１１９】
上記の本発明の一局面にかかる吹き出しノズル（例えば、吹き出しノズル３０・１３０・２３０）において、前記ノズル本体部と前記風路遮断部材との間には、前記ノズル本体部および前記風路遮断部材を、前記拡散モードの状態または前記収束モードの状態に付勢する弾性部材（例えば、圧縮ばね４３、ばね１４３など）が設けられていてもよい。
【０１２０】
また、本発明のさらに別の一局面は、ヘアドライヤ（例えば、ヘアドライヤ１）に関する。このヘアドライヤは、上述の本発明の何れかの局面にかかる吹き出しノズル（例えば、吹き出しノズル３０・１３０・２３０・３３０・４３０）を備えている。
【０１２１】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。また、本明細書で説明した異なる実施形態の構成を互いに組み合わせて得られる構成についても、本発明の範疇に含まれる。
【符号の説明】
【０１２２】
１      ：ヘアドライヤ
１０    ：本体部
１２    ：（本体部の）吹き出し口
３０    ：吹き出しノズル
３１    ：内筒部（風路遮断部材、筒状部材）
３２    ：外筒部（ノズル本体部）
４２    ：位置調整部
４３    ：弾性部材（圧縮ばね、引っ張りばね）
４４    ：整流部材
４５    ：（吹き出しノズルの）吹き出し口
５１ａ  ：張り出し部
５１ｂ  ：張り出し部
７５    ：イオン供給部
７８    ：表示部
１３０  :吹き出しノズル
１３１  ：シャッタ部材（風路遮断部材）
１３２  ：ノズル本体部
１４３  ：弾性部材（圧縮ばね、引っ張りばね）
２３０  :吹き出しノズル
２５４  ：羽根部
３３０  :吹き出しノズル
４３０  :吹き出しノズル
【図１】
2019146720.tif 000003
【図２】
2019146720.tif 000004
【図３】
2019146720.tif 000005
【図４】
2019146720.tif 000006
【図５】
2019146720.tif 000007
【図６】
2019146720.tif 000008
【図７】
2019146720.tif 000009
【図８】
2019146720.tif 000010
【図９】
2019146720.tif 000011
【図１０】
2019146720.tif 000012
【図１１】
2019146720.tif 000013
【図１２】
2019146720.tif 000014
【図１３】
2019146720.tif 000015
【図１４】
2019146720.tif 000016
【図１５】
2019146720.tif 000017
【図１６】
2019146720.tif 000018